(57)【要約】      （修正有）【課題】、一人の店員が複数の遊技機島部を同時に監視することができ、遊技者の呼び出しの対応が遅れたり、無監視状態を作ることなく、遊技場内の店員の少人化を実現でき、人件費の削減を容易に可能とする画期的な遊技機島の配置方法を提供する。【解決手段】パチンコ遊技機やスロットマシン等の遊技機１を複数並設して成る遊技機島２を遊技場内に複数設置する場合の遊技機島２の配置方法であって、対向状態に配置した一対の遊技機島２とこの遊技機島２間に形成される通路３とから成る複数の遊技機島部４を、通路３の配置状態が平面視Ｖ字状若しくは平面視放射状となるように配置する遊技機島２の配置方法。【選択図】図１
2016093388.tif 000002
【特許請求の範囲】
【請求項１】
パチンコ遊技機やスロットマシン等の遊技機を複数並設して成る遊技機島を遊技場内に複数設置する場合の遊技機島の配置方法であって、対向状態に配置した一対の前記遊技機島とこの遊技機島間に形成される通路とから成る複数の遊技機島部を、前記通路の配置状態が平面視Ｖ字状若しくは平面視放射状となるように配置することを特徴とする遊技機島の配置方法。
【請求項２】
複数の前記遊技機島部の各前記通路の中心線が交差する交差部が、景品交換カウンターを設置するカウンター設置部に位置するように、前記遊技機島部を平面視Ｖ字状若しくは平面視放射状に配置することを特徴とする請求項１記載の遊技機島の配置方法。
【請求項３】
平面視Ｖ字状に配置された二本の前記通路が成す角度、若しくは平面視放射状に配置された複数の前記通路の一側端部に位置する通路と他側端部に位置する通路とが成す角度が６０°以下となるように、複数の前記遊技機島部を配置することを特徴する請求項１，２のいずれか１項に記載の遊技機島の配置方法。
【発明の詳細な説明】
【技術分野】
【０００１】
本発明は、パチンコ遊技機やスロットマシン等の遊技機を複数並設して成る遊技機島を遊技場内に複数設置する場合の遊技機島の配置方法に関するものである。
【背景技術】
【０００２】
従来のパチンコ・スロットマシンが設置されるパチンコ・パチスロ遊技場（以下、遊技場と称す。）は、一般的には、図４に示すように、平行状態に並設された複数の通路23に沿って複数の遊技機21を設置した遊技機島22が対向状態に設置されて、複数の遊技機島部24が形成されており、また、各遊技機島部24には、遊技者の呼び出しに直ぐに対応できるよう、また、不正行為を常時監視することができるように店員20を配置している。
【０００３】
しかしながら、このように遊技機島部24毎に店員20を配置することで、人員が多くなり、人件費が嵩んでしまうことで収益の低下を招く問題が生じている。
【０００４】
また、上記問題を解決するために人員を減らしてしまうと、一人の店員20が複数の遊技機島部24を担当することになり、このような場合、店員20は各遊技機島部24を順に移動しながら遊技者の呼び出しの対応や不正行為の監視を行うことになるため、一つの遊技機島部24を常時監視することができなくなり、これにより、監視している遊技機島部24以外の他の遊技機島部24での遊技者の呼び出しに気付かず対応が遅れてしまう問題（サービスの質の低下の問題）が生じたり、監視している遊技機島部24以外は無監視状態となって監視に隙ができてしまい不正行為が行われてしまうおそれが生じる。
【発明の概要】
【発明が解決しようとする課題】
【０００５】
本発明は、上述のような現状に鑑みなされたもので、一人の店員が複数の遊技機島部を同時に監視することができ、遊技者の呼び出しへの対応が遅れたり、無監視状態を作ることなく、遊技場内の店員の少人化を実現でき、人件費の削減を容易に可能とする画期的な遊技機島の配置方法を提供することを目的とする。
【課題を解決するための手段】
【０００６】
添付図面を参照して本発明の要旨を説明する。
【０００７】
パチンコ遊技機やスロットマシン等の遊技機１を複数並設して成る遊技機島２を遊技場内に複数設置する場合の遊技機島の配置方法であって、対向状態に配置した一対の前記遊技機島２とこの遊技機島２間に形成される通路３とから成る複数の遊技機島部４を、前記通路３の配置状態が平面視Ｖ字状若しくは平面視放射状となるように配置することを特徴とする遊技機島の配置方法に係るものである。
【０００８】
また、複数の前記遊技機島部４の各前記通路３の中心線が交差する交差部が、景品交換カウンター５を設置するカウンター設置部６に位置するように、前記遊技機島部４を平面視Ｖ字状若しくは平面視放射状に配置することを特徴とする請求項１記載の遊技機島の配置方法に係るものである。
【０００９】
また、平面視Ｖ字状に配置された二本の前記通路３が成す角度、若しくは平面視放射状に配置された複数の前記通路３の一側端部に位置する通路３と他側端部に位置する通路３とが成す角度が６０°以下となるように、複数の前記遊技機島部４を配置することを特徴する請求項１，２のいずれか１項に記載の遊技機島の配置方法に係るものである。
【発明の効果】
【００１０】
本発明は上述のようにしたから、遊技機島部間を移動しなくても、一人で複数の遊技機島部を常時監視することができるようになる。
【００１１】
これにより、遊技場における店員の少人化を図ることができ、人件費の削減を容易に実現することが可能となる画期的な遊技機島の配置方法となる。
【図面の簡単な説明】
【００１２】
【図１】実施例１における遊技場内の遊技機島部の配置状態を示す平面図である。
【図２】実施例１における遊技場内の遊技機島部の配置状態の別例を示す平面図である。
【図３】実施例２における遊技場内の遊技機島部の配置状態を示す平面図である。
【図４】従来例における遊技場内の遊技機島部の配置状態を示す平面図である。
【発明を実施するための形態】
【００１３】
好適と考える本発明の実施形態を、図面に基づいて本発明の作用を示して簡単に説明する。
【００１４】
本発明により、複数の遊技機島部４が平面視Ｖ字状若しくは平面視放射状に配置されるから、各遊技機島部４の通路３の中心線が交差する交差部から各遊技機島部４内（遊技機島２や通路３全体）を視認することができることとなる。
【００１５】
従って、この交差部に店員10を一人配置することで、この店員10がこの交差部から移動することなく、全ての遊技機島部４（遊技機島２）を常時監視することができ、これにより、いずれの遊技機島部４で遊戯している遊技者の呼び出しにも直ぐに気付いて対応することができ、また、全ての遊技機島部４に対して殆ど無監視状態を作ることもなくなるので、対応遅れなどによってサービスの質を低下させることがなく、また、不正行為の監視に隙を作らず不正行為を未然に防止することを維持しつつ、遊技場における店員10の少人化（人員削減）を図ることができ、よって、人件費の削減を容易に実現することが可能となる画期的な遊技機島の配置方法となる。
【実施例１】
【００１６】
本発明の具体的な実施例１について図１，２に基づいて説明する。
【００１７】
本実施例は、パチンコ遊技機やスロットマシン等の遊技機１を複数並設して成る遊技機島２を遊技場内に複数設置する場合の遊技機島の配置方法であって、対向状態に配置した一対の前記遊技機島２とこの遊技機島２間に形成される通路３とから成る複数の遊技機島部４を、前記通路３の配置状態が平面視Ｖ字状となるように配置するものである。
【００１８】
具体的には、図１に示すように、二つの遊技機島部４の各通路３の中心線が交差する交差部が、景品交換カウンター５を設置するカウンター設置部６に位置するようにして、各遊技機島部４を平面視Ｖ字状に配置する。
【００１９】
より具体的には、本実施例では、平面視Ｖ字状に配置された二本の通路３の中心線が成す角度が６０°以下（本実施例では３０°）となるように各遊技機島部４を配置する。
【００２０】
更に詳細に説明すると、本実施例では、先ず、開き角度を３０°に設定した平面視Ｖ字状の二本の通路３を、遊技場内の景品交換カウンター５を設置するカウンター設置部６を始点として形成し、この二本の通路３の夫々に、この通路３を挟んだ両側に遊技機島２を対向状態に配置し計四島の遊技機島２を設置して、平面視Ｖ字状に配置された二つの遊技機島部４を形成する。
【００２１】
このように二つの遊技機島部４を平面視Ｖ字状に配置することで、景品交換カウンター５を設置したカウンター設置部６にいる店員10が、この場から両方の遊技機島部４を視認することができることとなる。
【００２２】
これにより、両遊技機島部４の監視を担当する店員10が遊技者の呼び出し対応で両遊技機島部４の監視ができない状況になっても、景品交換カウンター５を担当する店員10がこの景品交換カウンター５を設置したカウンター設置部６から移動することなく、両方の遊技機島部４を監視することができるので、無監視状態を作ることがなくなる。
【００２３】
従って、本実施例のように、二つの遊技機島部４で構成される遊技場の場合、従来は、景品交換カウンターを担当する店員と、各遊技機島部を担当する店員の少なくとも三名の店員が必要であったが、本実施例の遊技機島の配置方法を採用することで、景品交換カウンター５を担当する店員10と、遊技者の呼び出しに対応する店員10の二名で対応できるので、最低でも一人分の人件費を削減することができる。
【００２４】
また、本実施例のように、遊技機島部４を平面視Ｖ字状に配置した場合、遊技機島部４間に広い空きスペースが形成されるので、例えば図２に示すように、この空きスペースを遊技者の休憩スペース７として利用することもできる。
【００２５】
また更に、本実施例のように遊技機島部４の設置数、即ち遊技機１の設置台数を少なくし、小規模の遊技場とすることで、人件費が抑えられるだけでなく、電気代等の維持費も抑えられることとなり、利益率の高い遊技場を構築することが可能となる。
【実施例２】
【００２６】
本発明の具体的な実施例２について図３に基づいて説明する。
【００２７】
本実施例は、実施例１において、遊技場内に遊技機島部４を三つ形成した場合、即ち遊技機島２を六島設置した場合である。
【００２８】
具体的には、図３に示すように、三つの遊技機島部４の各通路３の中心線が交差する交差部が、景品交換カウンター５を設置するカウンター設置部６に位置するようにして、各遊技機島部４を平面視放射状に配置する。
【００２９】
より具体的には、本実施例では、平面視放射状に配置された三本の通路３の右側端部に位置する通路３と左側端部に位置する通路３とが成す角度が６０°以下（本実施例では６０°）となるように各遊技機島部４を配置する。
【００３０】
即ち、本実施例は、中央の遊技機島部４に対して、左右の夫々の遊技機島部４を３０°の角度で配置する。
【００３１】
このように遊技機島部４を配置することで、景品交換カウンター５にいる店員10が、この場から三つの遊技機島部４を一度に視認することができることとなる。
【００３２】
その余は実施例１と同様である。
【００３３】
尚、本発明は、実施例１，２に限られるものではなく、各構成要件の具体的構成は適宜設計し得るものである。
【符号の説明】
【００３４】
１  遊技機
２  遊技機島
３  通路
４  遊技機島部
５  景品交換カウンター
６  カウンター設置部
【図１】
2016093388.tif 000003
【図２】
2016093388.tif 000004
【図３】
2016093388.tif 000005
【図４】
2016093388.tif 000006